(57)【要約】【課題】高精度で、利用者の状態を特定し、利用者の消費カロリーを算出すること。【解決手段】消費カロリー算出装置は、ユーザーの活動量に基づく消費カロリーが含まれた第１の計測データを取得する第１計測データ取得部と、ユーザーの脈拍に基づく消費カロリーが含まれた第２の計測データを取得する第２計測データ取得部と、第１の計測データにおける消費カロリーおよび第２の計測データにおける消費カロリーのそれぞれが、ユーザーの状態を判断するための判断条件に合致している期間を、ユーザーが前記状態にある期間であると特定する期間特定部と、第１の計測データにおける期間特定部によって特定された期間の消費カロリーおよび第２の計測データにおける期間特定部によって特定された期間の消費カロリーを用いて、期間特定部によって特定された期間におけるユーザーの消費カロリーを算出する消費カロリー算出部とを備える。【選択図】図２
2011104139.tif 000002
【特許請求の範囲】
【請求項１】
活動量計によって計測されたユーザーの活動量に基づく消費カロリーが含まれた第１の
計測データを取得する第１計測データ取得部と、
脈拍計によって計測された前記ユーザーの脈拍に基づく消費カロリーが含まれた第２の
計測データを取得する第２計測データ取得部と、
前記第１の計測データにおける消費カロリーおよび前記第２の計測データにおける消費
カロリーのそれぞれが、前記ユーザーの状態を判断するための判断条件に合致している期
間を、前記ユーザーが前記状態にある期間であると特定する期間特定部と、
前記第１の計測データにおける前記期間特定部によって特定された期間の消費カロリー
および前記第２の計測データにおける前記期間特定部によって特定された期間の消費カロ
リーを用いて、前記期間特定部によって特定された期間における前記ユーザーの消費カロ
リーを算出する消費カロリー算出部と
を備えることを特徴とする消費カロリー算出装置。
【請求項２】
前記期間特定部は、
前記第１の計測データにおいて消費カロリーが基準値よりも高い期間を、前記ユーザー
が活動状態にある活動期間であると特定し、
前記第１の計測データにおいて消費カロリーが基準値よりも低い期間を、前記ユーザー
が安静状態にある安静期間であると特定する
ことを特徴とする請求項１に記載の消費カロリー算出装置。
【請求項３】
前記期間特定部は、
前記活動期間のうち、前記第２の計測データにおいて消費カロリーが基準値よりも高い
期間を、前記ユーザーが運動をおこなっている運動期間であると特定する
ことを特徴とする請求項２に記載の消費カロリー算出装置。
【請求項４】
前記期間特定部は、
前記活動期間のうち、前記第２の計測データにおいて消費カロリーが基準値よりも低い
期間を、前記ユーザーが乗り物に乗車している乗車期間であると特定する
ことを特徴とする請求項２または３に記載の消費カロリー算出装置。
【請求項５】
前記期間特定部は、
前記安静期間のうち、前記第２の計測データにおいて消費カロリーが基準値よりも低い
期間を、前記ユーザーが睡眠状態にある睡眠期間であると特定する
ことを特徴とする請求項２乃至４のいずれか１項に記載の消費カロリー算出装置。
【請求項６】
前記期間特定部は、
前記安静期間のうち、前記第２の計測データにおいて消費カロリーが基準値よりも高い
期間を、前記ユーザーの安静時の身体活動がおこなわれている安静時身体活動期間である
と特定する
ことを特徴とする請求項２乃至５のいずれか１項に記載の消費カロリー算出装置。
【請求項７】
前記ユーザーによる飲酒に関する飲酒情報を取得する飲酒情報取得部をさらに備え、
前記期間特定部は、
前記安静時身体活動期間のうち、前記飲酒情報において飲酒していることが示されてい
る期間を、前記ユーザーが飲酒している飲酒期間であると特定する
ことを特徴とする請求項６に記載の消費カロリー算出装置。
【請求項８】
前記消費カロリー算出部は、
前記第１の計測データおよび前記第２の計測データに基づいて、前記活動量計および前
記脈拍計の一方の装置において生じたエラーを判断し、当該エラーの発生期間については
、前記活動量計および前記脈拍計の他方の装置で計測された値に基づいて、当該エラーの
発生期間における前記ユーザーの消費カロリーを算出する
ことを特徴とする請求項１乃至７のいずれか１項に記載の消費カロリー算出装置。
【請求項９】
ユーザーの活動量を計測して当該活動量に基づく消費カロリーが含まれた第１の計測デ
ータを出力する活動量計測部と、
前記ユーザーの脈拍を計測して当該脈拍に基づく消費カロリーが含まれた第２の計測デ
ータを出力する脈拍計測部と、
前記第１の計測データにおける消費カロリーおよび前記第２の計測データにおける消費
カロリーのそれぞれが、前記ユーザーの状態を判断するための判断条件に合致している期
間を、前記ユーザーが前記状態にある期間であると特定する期間特定部と、
前記第１の計測データにおける前記期間特定部によって特定された期間の消費カロリー
および前記第２の計測データにおける前記期間特定部によって特定された期間の消費カロ
リーを用いて、前記期間特定部によって特定された期間における前記ユーザーの消費カロ
リーを算出する消費カロリー算出部と
を備えることを特徴とする消費カロリー算出装置。
【請求項１０】
コンピューターが備える第１計測データ取得部が、活動量計によって計測されたユーザ
ーの活動量に基づく消費カロリーが含まれた第１の計測データを取得する第１計測データ
取得工程と、
コンピューターが備える第２計測データ取得部が、脈拍計によって計測された前記ユー
ザーの脈拍に基づく消費カロリーが含まれた第２の計測データを取得する第２計測データ
取得工程と、
コンピューターが備える期間特定部が、前記第１の計測データにおける消費カロリーお
よび前記第２の計測データにおける消費カロリーのそれぞれが、前記ユーザーの状態を判
断するための判断条件に合致している期間を、前記ユーザーが前記状態にある期間である
と特定する期間特定工程と、
コンピューターが備える消費カロリー算出部が、前記第１の計測データにおける前記期
間特定工程で特定された期間の消費カロリーおよび前記第２の計測データにおける前記期
間特定工程で特定された期間の消費カロリーを用いて、前記期間特定工程で特定された期
間における前記ユーザーの消費カロリーを算出する消費カロリー算出工程と
を備えることを特徴とする消費カロリー算出方法。
【請求項１１】
コンピューターを、
活動量計によって計測されたユーザーの活動量に基づく消費カロリーが含まれた第１の
計測データを取得する第１計測データ取得部、
脈拍計によって計測された前記ユーザーの脈拍に基づく消費カロリーが含まれた第２の
計測データを取得する第２計測データ取得部、
前記第１の計測データにおける消費カロリーおよび前記第２の計測データにおける消費
カロリーのそれぞれが、前記ユーザーの状態を判断するための判断条件に合致している期
間を、前記ユーザーが前記状態にある期間であると特定する期間特定部、及び
前記第１の計測データにおける前記期間特定部によって特定された期間の消費カロリー
および前記第２の計測データにおける前記期間特定部によって特定された期間の消費カロ
リーを用いて、前記期間特定部によって特定された期間における前記ユーザーの消費カロ
リーを算出する消費カロリー算出部
として機能させることを特徴とするプログラム。
【発明の詳細な説明】
【技術分野】
【０００１】
本発明は、消費カロリー算出装置、消費カロリー算出方法およびプログラムに関する。
【背景技術】
【０００２】
特許文献１には、ユーザーの動作に伴って、加速度を検出し、検出した加速度、ユーザ
ーの体重、および加速度を検出した時間に基づいて、ユーザーの消費カロリー量を計測す
る運動消費カロリー計測計が記載されている。特許文献２には、ユーザーの脈拍数を計測
し、ユーザーが運動時であるか安静時であるか判別し、判別結果によって異なる演算式を
用いて、ユーザーの消費カロリーを算出する消費カロリー計が記載されている。
【先行技術文献】
【特許文献】
【０００３】
【特許文献１】特開平１１−２０６７４３号公報
【特許文献２】特開平０６−３０４１５８号公報
【発明の概要】
【発明が解決しようとする課題】
【０００４】
しかしながら、上記特許文献１に記載されている技術では、ユーザーが安静状態（非活
動状態）にある場合、実際にはカロリーを消費しているにも関わらず、加速度の変化は生
じないため、消費カロリー量を計測することができない。一方、上記特許文献２に記載さ
れている技術では、状態の判定および消費カロリー量の算出を、いずれも脈拍に基づいて
おこなっているため、消費カロリーを正確に計測することができない。本発明は、上記課
題を解決することで、高精度で、利用者の状態を特定し、利用者の消費カロリーを算出す
ることができる消費カロリー算出装置、消費カロリー算出装置およびプログラムを提供す
るものである。
【課題を解決するための手段】
【０００５】
上記課題を解決するため、本発明の第１の態様の消費カロリー算出装置は、活動量計に
よって計測されたユーザーの活動量に基づく消費カロリーが含まれた第１の計測データを
取得する第１計測データ取得部と、脈拍計によって計測された前記ユーザーの脈拍に基づ
く消費カロリーが含まれた第２の計測データを取得する第２計測データ取得部と、前記第
１の計測データにおける消費カロリーおよび前記第２の計測データにおける消費カロリー
のそれぞれが、前記ユーザーの状態を判断するための判断条件に合致している期間を、前
記ユーザーが前記状態にある期間であると特定する期間特定部と、前記第１の計測データ
における前記期間特定部によって特定された期間の消費カロリーおよび前記第２の計測デ
ータにおける前記期間特定部によって特定された期間の消費カロリーを用いて、前記期間
特定部によって特定された期間における前記ユーザーの消費カロリーを算出する消費カロ
リー算出部とを備えることを特徴とする。係る構成によれば、活動量計の計測データおよ
び脈拍計の計測データの双方に基づいて、ユーザーの状態を特定し、ユーザーの消費カロ
リーを算出するので、活動量計の計測データのみに基づいて消費カロリーを算出する装置
および脈拍計の計測データのみに基づいて消費カロリーを算出する装置よりも、高い精度
で、ユーザーの状態を特定し、ユーザーの消費カロリーを算出することができる。
【０００６】
上記消費カロリー算出装置において、前記期間特定部は、前記第１の計測データにおい
て消費カロリーが基準値よりも高い期間を、前記ユーザーが活動状態にある活動期間であ
ると特定し、前記第１の計測データにおいて消費カロリーが基準値よりも低い期間を、前
記ユーザーが安静状態にある安静期間であると特定してもよい。係る構成によれば、実際
にユーザーが活動している場合に人体に生じる、活動量が上昇する、という現象を鑑み、
第１の計測データに消費カロリーが基準値よりも高い期間を、活動期間として特定するた
め、高精度で活動期間を特定することができる。また、実際にユーザーが安静にしている
場合に人体に生じる、活動量が上昇しない、という現象を鑑み、第１の計測データに消費
カロリーが基準値よりも低い期間を、安静期間として特定するため、高精度で安静期間を
特定することができる。
【０００７】
上記消費カロリー算出装置において、前記期間特定部は、前記活動期間のうち、前記第
２の計測データにおいて消費カロリーが基準値よりも高い期間を、前記ユーザーが運動を
おこなっている運動期間であると特定してもよい。係る構成によれば、実際にユーザーが
運動している場合に人体に生じる、活動量が上昇し、脈拍が上昇する、という現象を鑑み
、第１の計測データに消費カロリーの上昇が示されており、第２の計測データに消費カロ
リーが基準値よりも高い期間を、運動期間として特定するため、高精度で運動期間を特定
することができる。
【０００８】
上記消費カロリー算出装置において、前記期間特定部は、前記活動期間のうち、前記第
２の計測データにおいて消費カロリーが基準値よりも低い期間を、前記ユーザーが乗り物
に乗車している乗車期間であると特定してもよい。係る構成によれば、実際にユーザーが
乗り物に乗車している場合に人体に生じる、活動量が上昇し、脈拍が下降する、という現
象を鑑み、第１の計測データに消費カロリーの上昇が示されており、第２の計測データに
消費カロリーが基準値よりも低い期間を、乗車期間として特定するため、高精度で乗車期
間を特定することができる。
【０００９】
上記消費カロリー算出装置において、前記期間特定部は、前記安静期間のうち、前記第
２の計測データにおいて消費カロリーが基準値よりも低い期間を、前記ユーザーが睡眠状
態にある睡眠期間であると特定してもよい。係る構成によれば、実際にユーザーが睡眠し
ている場合に人体に生じる、活動量が上昇せず、脈拍が下降する、という現象を鑑み、第
１の計測データに消費カロリーの上昇が示されてなく、第２の計測データに消費カロリー
が基準値よりも低い期間を、睡眠期間として特定するため、高精度で睡眠期間を特定する
ことができる。
【００１０】
上記消費カロリー算出装置において、前記期間特定部は、前記安静期間のうち、前記第
２の計測データにおいて消費カロリーが基準値よりも高い期間を、前記ユーザーの安静時
の身体活動がおこなわれている安静時身体活動期間であると特定してもよい。係る構成に
よれば、実際にユーザーが安静にしている場合であっても、ストレス、飲酒、食事などに
よって人体に生じる、脈拍が上昇する、という現象を鑑み、第１の計測データに消費カロ
リーの上昇が示されてなく、第２の計測データに消費カロリーが基準値よりも高い期間を
、安静時身体活動期間として特定するため、高精度で安静時身体活動期間を特定すること
ができる。
【００１１】
上記消費カロリー算出装置において、前記ユーザーによる飲酒に関する飲酒情報を取得
する飲酒情報取得部をさらに備え、前記期間特定部は、前記安静時身体活動期間のうち、
前記飲酒情報において飲酒していることが示されている期間を、前記ユーザーが飲酒して
いる飲酒期間であると特定してもよい。係る構成によれば、実際にユーザーが安静にして
いる場合であっても、飲酒によって生じる、脈拍が上昇する、という現象を鑑み、安静時
身体活動期間と特定された期間のうち、飲酒情報において飲酒していることが示されてい
る期間を、飲酒期間として特定するため、高精度で飲酒期間を特定することができる。
【００１２】
上記消費カロリー算出装置において、前記消費カロリー算出部は、前記第１の計測デー
タおよび前記第２の計測データに基づいて、前記活動量計および前記脈拍計の一方の装置
において生じたエラーを判断し、当該エラーの発生期間については、前記活動量計および
前記脈拍計の他方の装置で計測された値に基づいて、当該エラーの発生期間における前記
ユーザーの消費カロリーを算出してもよい。係る構成によれば、一方の計測装置でエラー
が生じた場合であっても、他方の計測装置で計測された計測データに基づいて消費カロリ
ーを算出するため、エラーによる消費カロリーの算出精度の低下を最小限に抑えることが
できる。
【００１３】
また、本発明の第２の態様の消費カロリー算出装置は、ユーザーの活動量を計測して当
該活動量に基づく消費カロリーが含まれた第１の計測データを出力する活動量計測部と、
前記ユーザーの脈拍を計測して当該脈拍に基づく消費カロリーが含まれた第２の計測デー
タを出力する脈拍計測部と、前記第１の計測データにおける消費カロリーおよび前記第２
の計測データにおける消費カロリーのそれぞれが、前記ユーザーの状態を判断するための
判断条件に合致している期間を、前記ユーザーが前記状態にある期間であると特定する期
間特定部と、前記第１の計測データにおける前記期間特定部によって特定された期間の消
費カロリーおよび前記第２の計測データにおける前記期間特定部によって特定された期間
の消費カロリーを用いて、前記期間特定部によって特定された期間における前記ユーザー
の消費カロリーを算出する消費カロリー算出部とを備えることを特徴とする。係る構成に
よれば、消費カロリー算出装置単体で、活動量および脈拍を計測し、双方の計測データに
基づいて、高い精度で、ユーザーの状態を特定し、ユーザーの消費カロリーを算出するこ
とができる。
【００１４】
また、本発明の第３の態様の消費カロリー算出方法は、コンピューターが備える第１計
測データ取得部が、活動量計によって計測されたユーザーの活動量に基づく消費カロリー
が含まれた第１の計測データを取得する第１計測データ取得工程と、コンピューターが備
える第２計測データ取得部が、脈拍計によって計測された前記ユーザーの脈拍に基づく消
費カロリーが含まれた第２の計測データを取得する第２計測データ取得工程と、コンピュ
ーターが備える期間特定部が、前記第１の計測データにおける消費カロリーおよび前記第
２の計測データにおける消費カロリーのそれぞれが、前記ユーザーの状態を判断するため
の判断条件に合致している期間を、前記ユーザーが前記状態にある期間であると特定する
期間特定工程と、コンピューターが備える消費カロリー算出部が、前記第１の計測データ
における前記期間特定工程で特定された期間の消費カロリーおよび前記第２の計測データ
における前記期間特定工程で特定された期間の消費カロリーを用いて、前記期間特定工程
で特定された期間における前記ユーザーの消費カロリーを算出する消費カロリー算出工程
とを備えることを特徴とする。係る構成によれば、活動量計の計測データおよび脈拍計の
計測データの双方に基づいて、ユーザーの状態を特定し、ユーザーの消費カロリーを算出
しているので、活動量計の計測データのみに基づいて消費カロリーを算出する方法および
脈拍計の計測データのみに基づいて消費カロリーを算出する方法よりも、高い精度で、ユ
ーザーの状態を特定し、ユーザーの消費カロリーを算出することができる。
【００１５】
また、本発明の第４の態様のプログラムは、コンピューターを、活動量計によって計測
されたユーザーの活動量に基づく消費カロリーが含まれた第１の計測データを取得する第
１計測データ取得部、脈拍計によって計測された前記ユーザーの脈拍に基づく消費カロリ
ーが含まれた第２の計測データを取得する第２計測データ取得部、前記第１の計測データ
における消費カロリーおよび前記第２の計測データにおける消費カロリーのそれぞれが、
前記ユーザーの状態を判断するための判断条件に合致している期間を、前記ユーザーが前
記状態にある期間であると特定する期間特定部、及び前記第１の計測データにおける前記
期間特定部によって特定された期間の消費カロリーおよび前記第２の計測データにおける
前記期間特定部によって特定された期間の消費カロリーを用いて、前記期間特定部によっ
て特定された期間における前記ユーザーの消費カロリーを算出する消費カロリー算出部と
して機能させることを特徴とする。係る構成によれば、コンピューターに、活動量計の計
測データおよび脈拍計の計測データの双方に基づいて、ユーザーの状態を特定させ、ユー
ザーの消費カロリーを算出させているので、活動量計の計測データのみに基づいて消費カ
ロリーを算出する方法および脈拍計の計測データのみに基づいて消費カロリーを算出する
方法よりも、高い精度で、ユーザーの状態を特定させ、ユーザーの消費カロリーを算出さ
せることができる。
【図面の簡単な説明】
【００１６】
【図１】第１の実施形態に係る消費カロリー算出システム１０の装置構成を示す。
【図２】第１の実施形態に係る消費カロリー算出装置１００の機能構成を示す。
【図３】消費カロリー算出装置１００による処理の一例を示す。
【図４】第１の計測データの一例を示す。
【図５】第２の計測データの一例を示す。
【図６】消費カロリー情報の一例を示す。
【図７】消費カロリー算出装置１００のハードウェア構成の一例を示す。
【図８】第２の実施形態に係る消費カロリー算出システム１０の装置構成を示す。
【図９】第２の実施形態に係る消費カロリー算出装置１００の機能構成を示す。
【図１０】消費カロリー算出装置１００のハードウェア構成の一例を示す。
【発明を実施するための形態】
【００１７】
図１は、第１の実施形態に係る消費カロリー算出システム１０の装置構成を示す。消費
カロリー算出システム１０は、消費カロリー算出装置１００、端末装置１１２、活動量計
１１４、および脈拍計１１６を備える。消費カロリー算出システム１０は、ユーザーが所
有する活動量計１１４および脈拍計１１６によって計測された計測データに基づいて、ユ
ーザーの消費カロリーを算出するシステムである。
【００１８】
端末装置１１２は、ユーザーの飲酒に関する飲酒情報が入力される。飲酒情報には、少
なくとも飲酒期間を特定することができるための情報が含まれる。たとえば、飲酒情報に
は、飲酒開始日時、飲酒終了日時、飲酒期間、飲酒量などの情報が含まれる。端末装置１
１２は、入力された飲酒情報を、通信ネットワーク１４０、有線通信、または無線通信を
介して、消費カロリー算出装置１００へ送信する。端末装置１１２としては、携帯電話、
ＰＤＡ（Ｐｅｒｓｏｎａｌ  Ｄｉｇｉｔａｌ  Ａｓｓｉｓｔａｎｔ）、パーソナル・コン
ピューターなどが挙げられる。また、通信ネットワーク１４０としては、インターネット
、ＬＡＮ、Ｗｉ−Ｆｉ、固定電話網、携帯電話網などが挙げられる。
【００１９】
活動量計１１４は、ユーザーの活動量を計測する。具体的には、活動量計１１４は、ユ
ーザーの歩行、運動などの動作にともなって、加速度センサーにより、当該活動量計１１
４の姿勢変化を検出する。そして、活動量計１１４は、ＩＣなどの電子回路によって、加
速度センサーからの出力信号に基づいて、ユーザーの活動量を算出する。活動量計１１４
は、計測したユーザーの活動量に基づく第１の計測データを、通信ネットワーク１４０、
有線通信、または無線通信を介して、消費カロリー算出装置１００へ送信する。たとえば
、第１の計測データには、ユーザーの活動量に基づいて活動量計１１４が算出した消費カ
ロリーが含まれる。
【００２０】
脈拍計１１６は、ユーザーの脈拍を計測する。具体的には、脈拍計１１６は、照射装置
によってレーザー光、赤外線光などの光をユーザーの血管に照射する。そして、脈拍計１
１６は、血管で反射された光の強度、または血管を透過した光の強度を、フォトセンサー
、ＣＣＤなどの撮像素子によって検出する。そして、脈拍計１１６は、ＩＣなどの電子回
路によって、撮像素子からの出力信号に基づいて、ユーザーの脈拍を算出する。脈拍計１
１６は、算出したユーザーの脈拍に基づく第２の計測データを、通信ネットワーク１４０
、有線通信、または無線通信を介して、消費カロリー算出装置１００へ送信する。たとえ
ば、第２の計測データには、ユーザーの脈拍に基づいて脈拍計１１６が算出した消費カロ
リーが含まれる。なお、脈拍計１１６は、少なくともユーザーの脈拍を計測することがで
きるものであればよく、上記方法によってユーザーの脈拍を計測するものに限らない。
【００２１】
消費カロリー算出装置１００は、コンピューターによって、ユーザーの消費カロリーを
算出する。具体的には、消費カロリー算出装置１００は、端末装置１１２、活動量計１１
４、および脈拍計１１６から送信された各種情報に基づいて、ユーザーの状態およびその
期間を特定する。そして、消費カロリー算出装置１００は、特定した期間におけるユーザ
ーの消費カロリーを算出する。さらに、消費カロリー算出装置１００は、消費カロリー算
出部２２０によって算出された消費カロリーに関する消費カロリー情報を、通信ネットワ
ーク１４０、有線通信、または無線通信を介して、当該消費カロリー情報からユーザーの
血糖値を予測する血糖値予測システムなどの外部のシステムへ出力する。
【００２２】
図２は、第１の実施形態に係る消費カロリー算出装置１００の機能構成を示す。消費カ
ロリー算出装置１００は、情報取得部２００、期間特定部２１０、消費カロリー算出部２
２０、および出力部２４０を備える。情報取得部２００は、消費カロリーを算出するため
の各種情報を取得する。期間特定部２１０は、情報取得部２００によって取得された各種
情報に基づいて、ユーザーの状態およびその期間を特定する。消費カロリー算出部２２０
は、情報取得部２００によって取得された各種情報に基づいて、ユーザーの消費カロリー
を算出する。具体的には、消費カロリー算出部２２０は、期間特定部２１０が特定した期
間におけるユーザーの消費カロリーを算出する。出力部２４０は、消費カロリー算出部２
２０によって算出された消費カロリーに関する消費カロリー情報を出力する。
【００２３】
情報取得部２００は、第１計測データ取得部２０２、第２計測データ取得部２０４、お
よび飲酒情報取得部２０６を備える。第１計測データ取得部２０２は、第１の計測データ
を取得する。具体的には、第１計測データ取得部２０２は、活動量計１１４から第１の計
測データを取得する。第１計測データ取得部２０２は、活動量計１１４以外の装置から第
１の計測データを取得してもよい。第２計測データ取得部２０４は、第２の計測データを
取得する。具体的には、第２計測データ取得部２０４は、脈拍計１１６から第２の計測デ
ータを取得する。第２計測データ取得部２０４は、脈拍計１１６以外の装置から第２の計
測データを取得してもよい。飲酒情報取得部２０６は、飲酒情報を取得する。具体的には
、飲酒情報取得部２０６は、端末装置１１２から飲酒情報を取得する。飲酒情報取得部２
０６は、端末装置１１２以外の装置から飲酒情報を取得してもよい。
【００２４】
期間特定部２１０は、第１の計測データにおける消費カロリーおよび第２の計測データ
における消費カロリーのそれぞれが、ユーザーの状態を判断するための判断条件に合致し
ている期間を、ユーザーが上記状態にある期間であると特定する。たとえば、期間特定部
２１０は、第１の計測データにおいて消費カロリーが基準値よりも高い期間を、ユーザー
が活動状態にある活動期間であると特定し、第１の計測データにおいて消費カロリーが基
準値よりも低い期間を、ユーザーが安静状態にある安静期間であると特定する。
【００２５】
期間特定部２１０は、消費カロリーが高いか否かに限らず、他の方法によって、活動期
間および安静期間を特定してもよい。たとえば、期間特定部２１０は、第１の計測データ
において消費カロリーが基準値に向かって上昇している期間を活動期間に含めて特定して
もよい。また、期間特定部２１０は、第１の計測データにおいて消費カロリーが基準値か
ら下降している期間を活動期間に含めて特定してもよい。また、期間特定部２１０は、第
１の計測データにおいて消費カロリーの平均値が基準値よりも高い期間を、活動期間であ
ると特定してもよい。また、期間特定部２１０は、第１の計測データにおいて消費カロリ
ーの平均値が基準値よりも低い期間を、安静期間であると特定してもよい。また、期間特
定部２１０は、上記活動期間の条件を満たす期間のうち、予め定められている期間よりも
長い期間を、活動期間であると特定してもよい。また、期間特定部２１０は、上記安静期
間の条件を満たす期間が、予め定められている期間よりも長い期間を、安静期間であると
特定してもよい。
【００２６】
期間特定部２１０は、活動期間のうち、第２の計測データにおいて消費カロリーが基準
値よりも高い期間を、前記ユーザーが運動をおこなっている運動期間であると特定する。
また、期間特定部２１０は、活動期間のうち、第２の計測データにおいて消費カロリーが
基準値よりも低い期間を、前記ユーザーが乗り物に乗車している乗車期間であると特定す
る。
【００２７】
期間特定部２１０は、消費カロリーが高いか否かに限らず、他の方法によって、運動期
間および乗車期間を特定してもよい。たとえば、期間特定部２１０は、活動期間のうち、
第２の計測データにおいて消費カロリーが基準値に向かって上昇している期間を運動期間
に含めて特定してもよい。また、期間特定部２１０は、活動期間のうち、第２の計測デー
タにおいて消費カロリーが基準値から下降している期間を乗車期間に含めて特定してもよ
い。また、期間特定部２１０は、活動期間のうち、第２の計測データにおいて消費カロリ
ーの平均値が基準値よりも高い期間を、運動期間であると特定してもよい。また、期間特
定部２１０は、活動期間のうち、第２の計測データにおいて消費カロリーの平均値が基準
値よりも低い期間を、乗車期間であると特定してもよい。また、期間特定部２１０は、上
記運動期間の条件を満たす期間のうち、予め定められている期間よりも長い期間を、運動
期間であると特定してもよい。また、期間特定部２１０は、上記乗車期間の条件を満たす
期間が、予め定められている期間よりも長い期間を、乗車期間であると特定してもよい。
【００２８】
期間特定部２１０は、安静期間のうち、第２の計測データにおいて消費カロリーが基準
値よりも低い期間を、前記ユーザーが睡眠状態にある睡眠期間であると特定する。また、
期間特定部２１０は、安静期間のうち、前記第２の計測データにおいて消費カロリーが基
準値よりも高い期間を、前記ユーザーの安静時の身体活動がおこなわれている安静時身体
活動期間であると特定する。ここで、安静時の身体活動とは、ストレス、飲酒、体調など
により、安静時であってもカロリーを消費する身体活動であって、脈拍、呼吸、体温など
によって、消費カロリー量が変動する。安静時の身体活動には、食事、飲酒によってカロ
リーを消費する身体活動を含む。安静時の身体活動には、安静時であっても、生命活動を
維持するために必要なカロリーを消費する身体活動であって、性別、年齢、体重、筋肉量
などによって消費カロリー量が変動する基礎代謝を含まない。
【００２９】
期間特定部２１０は、消費カロリーが高いか否かに限らず、他の方法によって、睡眠期
間および安静時身体活動期間を特定してもよい。たとえば、期間特定部２１０は、安静期
間のうち、第２の計測データにおいて消費カロリーが基準値に向かって上昇している期間
を安静時身体活動期間に含めて特定してもよい。また、期間特定部２１０は、安静期間の
うち、第２の計測データにおいて消費カロリーが基準値から下降している期間を睡眠期間
に含めて特定してもよい。また、期間特定部２１０は、安静期間のうち、第２の計測デー
タにおいて消費カロリーの平均値が基準値よりも高い期間を、安静時身体活動期間である
と特定してもよい。また、期間特定部２１０は、安静期間のうち、第２の計測データにお
いて消費カロリーの平均値が基準値よりも低い期間を、睡眠期間であると特定してもよい
。また、期間特定部２１０は、上記睡眠期間の条件を満たす期間のうち、予め定められて
いる期間よりも長い期間を、睡眠期間であると特定してもよい。また、期間特定部２１０
は、上記安静時身体活動期間の条件を満たす期間が、予め定められている期間よりも長い
期間を、安静時身体活動期間であると特定してもよい。
【００３０】
期間特定部２１０は、安静時身体活動期間について、さらなる具体的なユーザーの状態
を判断してもよい。たとえば、期間特定部２１０は、安静時身体活動期間のうち、飲酒情
報取得部２０６によって取得された飲酒情報飲酒情報において飲酒していることが示され
ている期間を、ユーザーが飲酒している飲酒期間であると特定してもよい。上記以外にも
、期間特定部２１０は、安静時身体活動期間のうち、外部から取得した情報に飲酒以外の
行動が示されている期間について、上記飲酒以外の行動をおこなっている期間であると特
定してもよい。
【００３１】
消費カロリー算出部２２０は、第１の計測データにおける期間特定部２１０によって特
定された期間の消費カロリーおよび第２の計測データにおける期間特定部２１０によって
特定された期間の消費カロリーを用いて、期間特定部２１０によって特定された期間にお
けるユーザーの消費カロリーを算出する。たとえば、消費カロリー算出部２２０は、第１
の計測データに示されている消費カロリー、および第２の計測データに示されている消費
カロリーのうち、値が大きいほうを、ユーザーの消費カロリーとして算出する。
【００３２】
消費カロリー算出部２２０は、上記に限らず、期間特定部２１０によって特定されたユ
ーザーの状態に応じて、適切な算出方法を用いて、ユーザーの消費カロリーを算出しても
よい。たとえば、消費カロリー算出部２２０は、第１の計測データに示されている消費カ
ロリーを優先的に、ユーザーの消費カロリーとして算出してもよい。また、消費カロリー
算出部２２０は、第２の計測データに示されている消費カロリーを優先的に、ユーザーの
消費カロリーとして算出してもよい。また、消費カロリー算出部２２０は、第１の計測デ
ータに示されている消費カロリーと、第２の計測データに示されている消費カロリーとの
合算値を、ユーザーの消費カロリーとして算出してもよい。また、消費カロリー算出部２
２０は、第１の計測データに示されている消費カロリーと、第２の計測データに示されて
いる消費カロリーとの平均値を、ユーザーの消費カロリーとして算出してもよい。また、
消費カロリー算出部２２０は、第１の計測データに示されている消費カロリー、および第
２の計測データに示されている消費カロリーのうち、値が小さいほうを、ユーザーの消費
カロリーとして算出してもよい。
【００３３】
出力部２４０は、消費カロリー算出部２２０によって算出された消費カロリーに関する
消費カロリー情報を出力する。出力部２４０は、期間特定部２１０によって特定された期
間ごとに、算出部２２０によって算出された消費カロリーを対応付けて、消費カロリー情
報として出力する。出力部２４０は、消費カロリー情報を、通信ネットワーク１４０を介
して、血糖値予測システムなどの外部のシステムへ送信する。
【００３４】
図３は、消費カロリー算出装置１００による処理の一例を示す。まず、第１計測データ
取得部２０２が、第１の計測データを取得する（ステップＳ３０２）。つぎに、第２計測
データ取得部２０４が、第２の計測データを取得する（ステップＳ３０４）。つぎに、飲
酒情報取得部２０６が、飲酒情報を取得する（ステップＳ３０６）。
【００３５】
つぎに、期間特定部２１０が、ステップＳ３０２で取得された第１の計測データにおい
て消費カロリーが基準値よりも高い期間を、ユーザーが活動状態にある期間である活動期
間と特定する（ステップＳ３０８）。つぎに、期間特定部２１０が、Ｓ３０８において活
動期間と特定された期間のうち、ステップＳ３０４で取得された第２の計測データにおい
て消費カロリーが基準値よりも高い期間を、ユーザーが運動をおこなっている期間である
運動期間と特定する（ステップＳ３１０）。
【００３６】
つぎに、期間特定部２１０が、ステップＳ３１０において運動期間と特定された期間の
うち、ステップＳ３０２で取得された第１の計測データにおいて消費カロリーが予め定め
られている値よりも高い期間を、ユーザーが走っている期間である走行期間と特定する（
ステップＳ３１２）。つぎに、期間特定部２１０が、ステップＳ３１０において運動期間
と特定された期間のうち、ステップＳ３０２で取得された第１の計測データにおいて消費
カロリーが予め定められている値よりも低い期間を、ユーザーが歩いている期間である徒
歩期間と特定する（ステップＳ３１４）。つぎに、期間特定部２１０が、Ｓ３０８におい
て活動期間と特定された期間のうち、ステップＳ３０４で取得された第２の計測データに
おいて消費カロリーが基準値よりも低い期間を、ユーザーが乗り物に乗車している期間で
ある乗車期間と特定する（ステップＳ３１６）。
【００３７】
つぎに、期間特定部２１０が、ステップＳ３０２で取得された第１の計測データにおい
て消費カロリーが基準値よりも低い期間を、ユーザーが安静状態にある期間である安静期
間と特定する（ステップＳ３１８）。つぎに、期間特定部２１０が、ステップＳ３１８で
安静期間であると特定された期間のうち、ステップＳ３０４で取得された第２の計測デー
タにおいて消費カロリーが基準値よりも低い期間を、ユーザーが睡眠状態にある期間であ
る睡眠期間と特定する（ステップＳ３２０）。つぎに、期間特定部２１０が、ステップＳ
３１８において安静期間であると特定された期間のうち、ステップＳ３０４で取得された
第２の計測データにおいて消費カロリーが基準値よりも高い期間を、ユーザーの安静時の
身体活動がおこなわれている期間である安静時身体活動期間と特定する（ステップＳ３２
２）。
【００３８】
つぎに、期間特定部２１０が、ステップＳ３２２において安静時身体活動期間と特定さ
れた期間のうち、ステップＳ３０６で取得された飲酒情報において飲酒していることが示
されている期間を、ユーザーが飲酒していている期間である飲酒期間と特定する（ステッ
プＳ３２４）。つぎに、消費カロリー算出部２２０が、期間特定部２１０によって特定さ
れたそれぞれの期間について、消費カロリーを算出する（ステップＳ３２６）。そして、
出力部２４０が、ステップＳ３２６で算出された消費カロリーに関する消費カロリー情報
を出力して（ステップＳ３２８）、消費カロリー算出装置１００は、一連の処理を終了す
る。
【００３９】
図４は、活動量計１１４によって計測された活動量に基づく第１の計測データの一例を
示す。図４に示すグラフ４００は、第１の計測データに含まれる消費カロリーを単位時間
ごとに示したものである。グラフ４００において、期間ｓｅｃ１および期間ｓｅｃ２では
、消費カロリーが基準値ｓ１よりも高いことが示されている。一方、グラフ４００におい
て、期間ｓｅｃ３および期間ｓｅｃ４では、消費カロリーが基準値ｓ１よりも低いことが
示されている。このことから、期間特定部２１０は、第１の計測データに基づいて、期間
ｓｅｃ１および期間ｓｅｃ２を、ユーザーが活動状態にある期間である活動期間と特定す
る。また、期間特定部２１０は、第１の計測データに基づいて、期間ｓｅｃ３および期間
ｓｅｃ４を、ユーザーが安静状態にある期間である安静期間と特定する。
【００４０】
図５は、脈拍計１１６によって計測された脈拍に基づく第２の計測データの一例を示す
。図５に示すグラフ５００は、第２の計測データに含まれる消費カロリーを単位時間ごと
に示したものである。グラフ５００において、期間ｓｅｃ１および期間ｓｅｃ２では、消
費カロリーが基準値ｓ２よりも高いことが示されている。これに加え、期間ｓｅｃ１およ
び期間ｓｅｃ２は、活動期間であることから、期間特定部２１０は、期間ｓｅｃ１および
期間ｓｅｃ２を、ユーザーが運動状態にある運動期間であると特定する。特に、グラフ４
００において、期間ｓｅｃ１は、消費カロリーが基準値ｓ３よりも低いことから、期間特
定部２１０は、期間ｓｅｃ１を、ユーザーが歩いている徒歩期間であると特定する。また
、グラフ４００において、期間ｓｅｃ２は、消費カロリーが基準値ｓ３よりも高いことか
ら、期間特定部２１０は、期間ｓｅｃ２を、ユーザーがユーザーが走っている走行期間で
あると特定する。
【００４１】
グラフ５００において、期間ｓｅｃ３では、消費カロリーが基準値ｓ２よりも低いこと
が示されている。これに加え、期間ｓｅｃ３は、安静期間であることから、期間特定部２
１０は、期間ｓｅｃ３を、ユーザーが睡眠状態にある睡眠期間であると特定する。ここで
、期間ｓｅｃ３は、運動期間の直後の期間であるので、期間特定部２１０は、期間ｓｅｃ
３を、睡眠期間であると特定しなくてもよい。
【００４２】
グラフ５００において、期間ｓｅｃ４では、消費カロリーが基準値ｓ２に向かって上昇
していることが示されている。これに加え、期間ｓｅｃ４は、安静期間であることから、
期間特定部２１０は、期間ｓｅｃ４を、ユーザーが安静時の身体活動状態にある安静時身
体活動期間であると特定する。ここで、期間ｓｅｃ４について、飲酒情報には、飲酒期間
であることが示されている場合、期間特定部２１０は、期間ｓｅｃ４を、ユーザーが飲酒
状態にある期間である飲酒期間と特定してもよい。
【００４３】
図６は、消費カロリー算出部２２０によって算出された消費カロリーに関する消費カロ
リー情報の一例を示す。図６に示すグラフ６００は、消費カロリー情報に含まれる消費カ
ロリーを単位時間ごとに示したものである。この例では、期間ｓｅｃ１および期間ｓｅｃ
２について、当該期間は期間特定部２１０によって運動期間と特定されていることから、
消費カロリー算出部２２０は、第１の計測データに示されている消費カロリーを優先的に
用いて、当該期間の消費カロリーを算出する。一方、期間ｓｅｃ３および期間ｓｅｃ４に
ついて、当該期間は期間特定部２１０によって安静期間と特定されていることから、消費
カロリー算出部２２０は、第２の計測データに示されている消費カロリーを優先的に用い
て、当該期間の消費カロリーを算出する。出力部２４０は、期間特定部２１０によって特
定された期間ごとに、算出部２２０によって算出された消費カロリーを対応付けて、消費
カロリー情報として出力する。出力部２４０は、グラフ６００のように、消費カロリーを
時系列に示すだけでなく、ユーザーの状態およびその期間が特定できるように、消費カロ
リー情報を表示デバイスに表示させてもよい。また、出力部２４０は、第１の計測データ
に含まれる消費カロリーおよび第２の計測データに含まれる消費カロリーの一方または双
方を、消費カロリー算出部２２０によって算出された消費カロリーと対応付けて、出力し
てもよい。
【００４４】
図７は、第１の実施形態に係る消費カロリー算出装置１００のハードウェア構成の一例
を示す。消費カロリー算出装置１００は、ＣＰＵ１５０５、ＲＯＭ１５１０、ＲＡＭ１５
２０、ＨＤ（ハードディスク）ドライブ１５２５、通信インターフェース１５３０、外部
メモリードライブ１５４０、外部メモリー１５４２、入力デバイス１５５０、および表示
デバイス１５６０を備える。
【００４５】
ＲＯＭ１５１０、ＲＡＭ１５２０、およびＨＤドライブ１５２５は、各種データおよび
各種プログラムを格納する。ＣＰＵ１５０５は、ＲＯＭ１５１０、ＲＡＭ１５２０、また
はＨＤドライブ１５２５に格納されたプログラムを実行することで、各種データ処理およ
び各種ハードウェア制御をおこなう。なお、消費カロリー算出装置１００は、ＨＤドライ
ブ１５２５の代わりに、フラッシュメモリーなどの他の記録媒体を備えてもよい。また、
消費カロリー算出装置１００は、ＨＤドライブ１５２５を備えなくともよい。この場合、
消費カロリー算出装置１００は、ＲＯＭ１５１０などの他の記録媒体が、上記したＨＤド
ライブ１５２５の機能を有してもよい。ＣＰＵ１５０５により実行されるプログラムは、
消費カロリー算出装置１００（すなわちコンピューター）を、図１から図６に関連して説
明した、情報取得部２００、期間特定部２１０、消費カロリー算出部２２０、および出力
部２４０として機能させる。
【００４６】
通信インターフェース１５３０は、通信ネットワークに接続し、通信ネットワークを介
して外部の装置に対するデータの送受信をおこなう。外部メモリードライブ１５４０は、
外部メモリー１５４２に接続し、外部メモリー１５４２に対するデータの送受信をおこな
う。外部メモリー１５４２としては、たとえば、メモリーカードが挙げられる。外部メモ
リー１５４２は、フレキシブルディスク、ＣＤ、ＤＶＤ等の記録媒体であってもよい。
【００４７】
表示デバイス１５６０は、各種データを表示する。表示デバイス１５６０としては、た
とえば、ＣＲＴディスプレイ、液晶ディスプレイ、プラズマディスプレイ、有機ＥＬディ
スプレイ、電子ペーパーなどが挙げられる。入力デバイス１５５０は、消費カロリー算出
装置１００に対する操作を入力する。入力デバイス１５５０としては、たとえば、マウス
、キーボード、入力ボタン、タッチパネルなどが挙げられる。
【００４８】
ＣＰＵ１５０５が実行するプログラムは、たとえば、上記した外部メモリー１５４２に
格納されて、消費カロリー算出装置１００に提供され、消費カロリー算出装置１００にイ
ンストールされてもよい。また、ＣＰＵ１５０５が実行するプログラムは、外部の装置か
ら通信ネットワークを介して、消費カロリー算出装置１００に提供され、消費カロリー算
出装置１００にインストールされてもよい。
【００４９】
第１の実施形態に係る消費カロリー算出装置１００によれば、活動量計の計測データお
よび脈拍計の計測データの双方に基づいて、実際にユーザーの人体に生じる活動量の増減
および脈拍の増減を鑑みて、ユーザーの状態を特定し、ユーザーの消費カロリーを算出し
ているので、活動量計の計測データのみに基づいて消費カロリーを算出する装置および脈
拍計の計測データのみに基づいて消費カロリーを算出する装置よりも、高い精度で、ユー
ザーの状態を特定し、ユーザーの消費カロリーを算出することができる。
【００５０】
図８は、第２の実施形態に係る消費カロリー算出システム１０の装置構成を示す。以下
、第１の実施形態に係る消費カロリー算出システム１０との相違点について説明する。上
記相違点以外については、第１の実施形態に係る消費カロリー算出装置１００と同様であ
る。第２の実施形態に係る消費カロリー算出システム１０は、端末装置１１２、活動量計
１１４、および脈拍計１１６を備えず、端末装置１１２、活動量計１１４、および脈拍計
１１６の機能を有する消費カロリー算出装置１００を備える点で、第１の実施形態に係る
消費カロリー算出システム１０と相違する。したがって、第２の実施形態に係る消費カロ
リー算出システム１０においては、消費カロリー算出装置１００に、飲酒情報が入力され
る。また、消費カロリー算出装置１００が、ユーザーの活動量を計測し、計測した活動量
に基づく第１の計測データを生成する。また、消費カロリー算出装置１００が、ユーザー
の脈拍を計測し、計測した脈拍に基づく第２の計測データを生成する。そして、消費カロ
リー算出装置１００は、入力された飲酒情報、生成した第１の計測データ、および生成し
た第２の計測データに基づいて、ユーザーが消費した消費カロリーを算出する。
【００５１】
図９は、第２の実施形態に係る消費カロリー算出装置１００の機能構成を示す。第２の
実施形態に係る消費カロリー算出装置１００は、以下の点で、第１の実施形態に係る消費
カロリー算出装置１００と相違する。（１）第１計測データ取得部２０２の代わりに活動
量計測部８０２を備える。（２）第１計測データ取得部２０４の代わりに脈拍計測部８０
４を備える。（３）飲酒情報取得部２０６の代わりに飲酒情報入力部８０６を備える。
【００５２】
活動量計測部８０２は、ユーザーの活動量を計測する。具体的には、活動量計測部８０
２は、ユーザーの歩行、運動などの動作にともなって、加速度センサーによって、当該消
費カロリー算出装置１００の姿勢変化を検出する。そして、活動量計測部８０２は、ＩＣ
などの電子回路によって、加速度センサーからの出力信号に基づいて、ユーザーの活動量
を算出する。そして、活動量計測部８０２は、計測したユーザーの活動量に基づく第１の
計測データを生成する。
【００５３】
脈拍計測部８０４は、ユーザーの脈拍を計測する。具体的には、脈拍計測部８０４は、
照射装置によってレーザー光、赤外線光などの光をユーザーの血管に照射する。そして、
脈拍計測部８０４は、血管で反射された光の強度、または血管を透過した光の強度を、フ
ォトセンサー、ＣＣＤなどの撮像素子によって検出する。そして、脈拍計測部８０４は、
ＩＣなどの電子回路によって、撮像素子からの出力信号に基づいて、ユーザーの脈拍を算
出する。さらに、脈拍計測部８０４は、算出したユーザーの脈拍に基づく第２の計測デー
タを生成する。なお、脈拍計測部８０４は、少なくともユーザーの脈拍を計測することが
できるものであればよく、上記方法によってユーザーの脈拍を計測するものに限らない。
【００５４】
飲酒情報入力部８０６は、ユーザーの飲酒に関する飲酒情報の入力を受け付ける。たと
えば、飲酒情報は、消費カロリー算出装置１００が備えるマウス、キーボード、タッチパ
ネルなどの入力デバイスによって、消費カロリー算出装置１００に対して入力される。飲
酒情報は、メモリーカードなどの記録媒体によって、消費カロリー算出装置１００に対し
て入力されてもよい。また、飲酒情報は、外部の装置とのデータ通信によって、消費カロ
リー算出装置１００に対して入力されてもよい。
【００５５】
図１０は、第２の実施形態に係る消費カロリー算出装置１００のハードウェア構成の一
例を示す。第２の実施形態に係る消費カロリー算出装置１００は、加速度センサー１０１
０、照射装置１０２０、および撮像素子１０３０をさらに備える点で、第１の実施形態に
係る消費カロリー算出装置１００と相違する。加速度センサー１０１０は、当該消費カロ
リー算出装置１００の姿勢変化を検出する。加速度センサー１０１０は、図９を用いて説
明した活動量計測部８０２として機能する。照射装置１０２０は、レーザー光、赤外線光
などの光をユーザーの血管に照射する。撮像素子１０３０は、照射装置１０２０から照射
され、ユーザーの血管で反射された光の強度、またはユーザーの血管を透過した光の強度
を検出する。照射装置１０２０および撮像素子１０３０は、図９を用いて説明した脈拍計
測部８０４として機能する。
【００５６】
第２の実施形態に係る消費カロリー算出装置１００によれば、活動量計の計測データお
よび脈拍計の計測データの双方に基づいて、実際にユーザーの人体に生じる活動量の増減
および脈拍の増減を鑑みて、ユーザーの状態を特定し、ユーザーの消費カロリーを算出し
ているので、活動量計の計測データのみに基づく方法および脈拍計の計測データのみに基
づく方法よりも、高い精度で、ユーザーの状態を特定し、ユーザーの消費カロリーを算出
することができる。また、ユーザーの活動量を計測する機能、およびユーザーの脈拍を計
測する機能を備えているので、外部の装置とのデータ通信をおこなわなくとも、ユーザー
の活動量および脈拍を計測してから、消費カロリーを算出するまでの一連の処理を、当該
消費カロリー算出装置１００単体でおこなうことができる。このため、ユーザーは、消費
カロリー算出装置１００を携帯することで、外出先など外部の装置との接続することが困
難な場所にいる場合であっても、その場で、活動量および脈拍を計測するとともに、消費
カロリーを確認することができる。
【００５７】
以上、本発明の第１の実施形態および第２の実施形態について説明したが、本発明は上
述した第１の実施形態および第２の実施形態に限定されることなく、他の様々な形態で実
施可能である。例えば、上述の第１の実施形態および第２の実施形態を以下のように変形
して本発明を実施してもよい。
【００５８】
第１の実施形態において、消費カロリー算出システム１０の装置構成は、図１に示した
ものに限らない。たとえば、消費カロリー算出システム１０は、消費カロリー算出装置１
００を備えずに、端末装置１１２、活動量計１１４、および脈拍計１１６のいずれかが、
消費カロリー算出装置１００の機能を有してもよい。また、消費カロリー算出システム１
０は、活動量計１１４を備えずに、端末装置１１２または脈拍計１１６が、活動量計１１
４の機能を有してもよい。また、消費カロリー算出システム１０は、脈拍計１１６を備え
ずに、端末装置１１２または活動量計１１４が、脈拍計１１６の機能を有してもよい。
【００５９】
第１の実施形態において、消費カロリー算出システム１０は、端末装置１１２、活動量
計１１４、および脈拍計１１６の少なくともいずれか一つの入力装置と消費カロリー算出
装置１００との間において、データを仲介する、パーソナル・コンピューター、携帯情報
端末などの仲介装置をさらに備えてもよい。この場合、仲介装置は、入力装置から送信さ
れたデータを一旦蓄積しておき、予め定められたタイミング、またはユーザーが指定した
タイミングで、蓄積されたデータを、消費カロリー算出装置１００へ送信してもよい。な
お、仲介装置は、端末装置１１２、活動量計１１４、または脈拍計１１６のいずれかであ
ってもよい。
【００６０】
第１の実施形態および第２の実施形態において、消費カロリー算出部２２０は、期間特
定部２１０によって特定された期間におけるユーザーの消費カロリーを、期間特定部２１
０によって特定された状態に応じた算出方法を用いて算出してもよい。これにより、消費
カロリー算出装置１００は、実際にユーザーが消費した消費カロリーとの誤差が少ない、
高精度なユーザーの消費カロリーを算出することができる。
【００６１】
第１の実施形態および第２の実施形態において、出力部２４０による消費カロリー情報
の出力形態は、外部のシステムへの送信に限らない。たとえば、出力部２４０は、消費カ
ロリー情報を、表示デバイスに表示させてもよい。また、出力部２４０は、消費カロリー
情報を、印刷デバイスに印刷させてもよい。また、出力部２４０は、消費カロリー情報を
、外部の情報処理装置へ送信してもよい。また、出力部２４０は、消費カロリー情報を、
外部の記録媒体へ格納させてもよい。
【００６２】
第１の実施形態および第２の実施形態において、消費カロリー算出部２２０は、第１の
計測データおよび第２の計測データに基づいて、活動量計および脈拍計の一方の装置にお
いて生じたエラーを判断してもよい。この場合、消費カロリー算出部２２０は、エラーの
発生期間については、活動量計および脈拍計の他方の装置で計測された値、すなわちエラ
ーが発生したと判断されていない装置で計測された値に基づいて、当該エラーの発生期間
におけるユーザーの消費カロリーを算出してもよい。たとえば、消費カロリー算出部２２
０は、第１の計測データが示されていない期間を、活動量計１１４のエラーの発生期間と
判断してもよい。また、消費カロリー算出部２２０は、第２の計測データが示されていな
い期間を、脈拍計１１６のエラーの発生期間と判断してもよい。また、第１の計測データ
において、予め定められている正常値の範囲外の値が示されている期間を、活動量計１１
４のエラーの発生期間と判断してもよい。また、第２の計測データにおいて、予め定めら
れている正常値の範囲外の値が示されている期間を、脈拍計１１６のエラーの発生期間と
判断してもよい。
【００６３】
第１の実施形態および第２の実施形態において、期間特定部２１０は、第１の計測デー
タおよび第２の計測データに基づいて、これまでに説明した期間以外の期間を特定しても
よい。たとえば、期間特定部２１０は、第１の計測データにおいて、ユーザーが乗り物に
乗車していることが示されている期間については、その期間を乗車期間であると特定して
もよい。この場合、期間特定部２１０は、乗車期間のうち、第２の計測データにおいて消
費カロリーが基準値よりも高い期間を、自転車などのユーザーの運動量が高い乗り物に乗
車している期間、または、興奮状態、病気状態など、そもそも脈拍が高い状態で乗り物に
乗車している期間であると特定してもよい。また、期間特定部２１０は、乗車期間のうち
、前記第２の計測データにおいて消費カロリーが基準値よりも低い期間を、自動車、オー
トバイ、電車などのユーザーの運動量が低い乗り物に乗車している期間であると特定して
もよい。
【００６４】
期間特定部２１０は、第１の計測データおよび第２の計測データ以外の他の情報にさら
に基づいて、これまでに説明した期間をより具体的に特定してもよい。たとえば、期間特
定部２１０は、乗車期間であると特定した期間において、気圧情報に上昇していることが
示されている期間については、ユーザーが乗車している乗り物が勾配を上っている期間で
あると特定してもよい。また、期間特定部２１０は、乗車期間であると特定した期間にお
いて、気圧情報に下降していることが示されている期間については、ユーザーが乗車して
いる乗り物が勾配を下っている期間であると特定してもよい。
【００６５】
また、期間特定部２１０は、ユーザーが走っている期間であると特定した期間において
、気圧情報に上昇していることが示されている期間については、ユーザーが走って、坂道
、階段などの勾配を上っている期間であると特定してもよい。また、期間特定部２１０は
、ユーザーが走っている期間であると特定した期間において、気圧情報に下降しているこ
とが示されている期間については、ユーザーが走って、坂道、階段などの勾配を下ってい
る期間であると特定してもよい。
【００６６】
また、期間特定部２１０は、ユーザーが歩いている期間であると特定した期間において
、気圧情報に上昇していることが示されている期間については、ユーザーが歩いて、坂道
、階段などの勾配を上っている期間であると特定してもよい。また、期間特定部２１０は
、ユーザーが歩いている期間であると特定した期間において、気圧情報に下降しているこ
とが示されている期間については、ユーザーが歩いて、坂道、階段などの勾配を下ってい
る期間であると特定してもよい。
【００６７】
他の例として、期間特定部２１０は、ユーザーが歩いている期間であると特定した期間
において、気圧情報に上昇および下降のいずれもしていないことが示されている期間につ
いて、第２の計測データにおいて消費カロリーが基準値よりも高い期間を、重い荷物を持
っているなど、高い負荷がかかった状態で歩いている期間、または、興奮状態、病気状態
など、そもそも脈拍が高い状態で、歩いている期間であると特定してもよい。
【００６８】
これらの場合、消費カロリー算出装置１００は、気圧センサーを備えていてもよく、こ
の場合、当該気圧センサーから気圧情報を取得してもよい。また、消費カロリー算出装置
１００は、気圧センサーを備える外部装置から、気圧情報を取得してもよい。この場合、
気圧センサーを備える外部装置は、端末装置１１２、活動量計１１４、または脈拍計１１
６のいずれかであってもよい。
【符号の説明】
【００６９】
１０  消費カロリー算出システム、１００  消費カロリー算出装置、１１２  端末装置
、１１４  活動量計、１１６  脈拍計、１４０  通信ネットワーク、２００  情報取得部
、２０２  第１計測データ取得部、２０４  第２計測データ取得部、２０６  飲酒情報取
得部、２１０  期間特定部、２２０  消費カロリー算出部、２４０  出力部
【図１】
2011104139.tif 000003
【図２】
2011104139.tif 000004
【図３】
2011104139.tif 000005
【図４】
2011104139.tif 000006
【図５】
2011104139.tif 000007
【図６】
2011104139.tif 000008
【図７】
2011104139.tif 000009
【図８】
2011104139.tif 000010
【図９】
2011104139.tif 000011
【図１０】
2011104139.tif 000012